(57)【特許請求の範囲】
【請求項１】
洗浄後のマット（Ｍ）を排出する排出口（Ｑ）側に、排出されたマット（Ｍ）を受けるマット受け（１）を備えたマット洗浄機に於て、
上記マット受け（１）が、側面視が前方凹曲面状のマット受け本体部（２）と、該マット受け本体部（２）の上端部（３）に連設されて前方へ折曲げた段差部（４）と、該段差部（４）の前端（５）から上方に起立してマット（Ｍ）を下方へ誘導する誘導部（６）を有し、
上記マット受け（１）と洗浄機本体（７）との間を、突出状チェーン引掛部（９）に掛着自在のチェーン（８）にて連結して、上記マット受け（１）の後方への傾き角度（θ）を調整自在とし、
さらに、洗浄後のマット（Ｍ）を排出する上記排出口（Ｑ）側の一対の回転体（Ｒ）を、マット排出方向（Ｙ）が後方下傾状となるように配設し、かつ、上記一対の回転体（Ｒ）の両方の回転中心（Ｓ）を通る直線（Ｌ2 ）に対する垂線（Ｌ3 ）が鉛直上向き方向と成す角度（α）が30°以上60°以下になるように設定したことを特徴とするマット洗浄機。
【請求項２】
上記段差部（４）の段差寸法（Ｔ）を、上記マット（Ｍ）の厚さ寸法（ｔ）の２倍以上４倍以下に設定した請求項１記載のマット洗浄機。
【発明の詳細な説明】
【技術分野】
【０００１】
本発明は、マット洗浄機に関する。
【背景技術】
【０００２】
従来、マット受けを備えたマット洗浄機は、洗浄後のマットを受けるために、マット受けを備えている（例えば、特許文献１参照）。
【０００３】
しかし、従来のマット受けは、マットを確実に受けることができるように、後方上傾状の直線部が後方に大きく突出しており、全体としての前後幅寸法が増大し、大きな設置スペースを必要としていた。すなわち、小さなスペースに設置するには、不向きであった。
【特許文献１】特開２００６−６８２０９号公報
【発明の開示】
【発明が解決しようとする課題】
【０００４】
解決しようとする課題は、小さなスペースに設置することができない点である。
【課題を解決するための手段】
【０００５】
そこで、本発明に係るマット洗浄機は、洗浄後のマットを排出する排出口側に、排出されたマットを受けるマット受けを備えたマット洗浄機に於て、上記マット受けが、側面視が前方凹曲面状のマット受け本体部と、該マット受け本体部の上端部に連設されて前方へ折曲げた段差部と、該段差部の前端から上方に起立してマットを下方へ誘導する誘導部を有し、上記マット受けと洗浄機本体との間を、突出状チェーン引掛部に掛着自在のチェーンにて連結して、上記マット受けの後方への傾き角度を調整自在とし、さらに、洗浄後のマットを排出する上記排出口側の一対の回転体を、マット排出方向が後方下傾状となるように配設し、かつ、上記一対の回転体の両方の回転中心を通る直線に対する垂線が鉛直上向き方向と成す角度が30°以上60°以下になるように設定したものである。
【０００６】
また、上記段差部の段差寸法を、上記マットの厚さ寸法の２倍以上４倍以下に設定したものである。
【発明の効果】
【０００７】
本発明のマット洗浄機によれば、小さな設置スペースに設置することができる。例えば、壁等に密着して設置することができる。また、小さな設置スペースに設置しても、適切なマット排出機能を備えることができる。すなわち、次々と複数枚のマットを排出しても、円滑に摺動案内されて（滑り落ちて）、スムーズに排出して、マット受けに重ね合わさって、受けられる。
【発明を実施するための最良の形態】
【０００８】
図１・図２は、本発明の実施の一形態の使用状態（設置状態）の一例を示す。すなわち、このマット洗浄機は、壁Ｗに密接して設置することができる。マットＭ（図３・図５参照）を挿入する挿入口Ｐから自動車用等のマットＭを挿入すると、マットＭが、複数の回転体Ｒの間を、矢印Ｘ方向に移動する。具体的には、上送りローラＲ1 、下送りローラＲ2 、回転ブラシＢ、上スポンジローラＲ3 、下スポンジローラＲ4 の間を、矢印Ｘ方向に移動する。この移動中に、マットＭに付着した土や埃等の汚れが、回転ブラシＢにて除去される。複数枚のマットＭを挿入口Ｐに挿入して移動・排出した場合、図５の２点鎖線にて示すように、複数枚（図５では２枚）のマットＭが、順次マット受け１に収納状に積み重ねられていく。
【０００９】
図１〜図３に示すように、洗浄後のマットＭを排出する排出口Ｑ側に、排出されたマットＭを受けるマット受け１を備えている。マット受け１が、側面視が前方凹曲面状のマット受け本体部２と、マット受け本体部２の上端部３に連設されて前方へ折曲げた段差部４と、段差部４の前端５から上方に起立してマットＭを下方へ誘導する誘導部６を有する。
図１に示すように、マット洗浄機を壁Ｗ等に密着して設置した状態に於て、段差部４は水平状乃至前方上傾状となり、かつ、誘導部６は、鉛直状となっている。
【００１０】
段差部４の段差寸法Ｔが、マットＭ（図３・図５参照）の厚さ寸法ｔの２倍以上４倍以下に設定されている。段差寸法Ｔとは、マット受け本体部２の上端部３に於ける接線Ｌ1 と垂直方向の寸法をいう。段差寸法ＴがマットＭの厚さ寸法ｔの２倍未満の場合、複数枚のマットＭを挿入口Ｐに挿入して移動・排出した際、複数枚のマットＭを収納状にマット受け１に積み重ねることができない。そして、複数枚のマットＭを連続的に排出した際、先に排出されたマットＭと後から排出されたマットＭが干渉して、順次スムーズにマット受け１のマット受け本体部２に積み重ならない。段差寸法ＴがマットＭの厚さ寸法ｔの４倍を超える場合、設置スペースが大きくなる。
【００１１】
図４に示すように、洗浄機本体７とマット受け１との間がチェーン８にて、マット受け１の傾き角度θを調整自在に、連結されている。具体的には、マット受け１が、チェーン８を引掛けるための突出状チェーン引掛部９を有する。そして、チェーン８の一部10を洗浄機本体７に取着するとともに、マット受け１の傾き角度θが所望の値となるように、上記一部10とは異なる部分11をチェーン引掛部９に引掛ける。
【００１２】
洗浄後のマットＭを排出する排出口Ｑ側の一対の回転体Ｒ（すなわち上スポンジローラＲ3 と下スポンジローラＲ4 ）が、マット排出方向Ｙが後方下傾状となるように配設されている。具体的には、一対の回転体Ｒの両方の回転中心Ｓを通る直線Ｌ2 に対する垂線Ｌ3 が鉛直上向き方向と成す角度αが30°以上60°以下になるように設定されている。角度αが30°未満の場合、マット洗浄機全体の高さが高くなる。角度αが60°を超える場合、排出されたマットＭがスムーズに下方へ移動しない虞れがある。
【００１３】
なお、本発明は、設計変更可能であって、例えば、マット受け１が、板材から成るも良い。また、マット受け１が、板材及び線材を併用したものから成るも良い。また、段差部４が、マット受け本体部２の上端部３に連設されて前方へ前方上傾状に折曲げて形成されるも良い。
【００１４】
また、回転体Ｒの数量及び配置は、上述のものに限定されず、例えば、複数の回転ブラシＢを具備するも良い。また、マット受け１のチェーン引掛部９を省略して、あらかじめチェーン８の一部10をマット受け１に連結しておくも良い。この場合、洗浄機本体７にチェーン引掛部９を設け、このチェーン引掛部９にチェーン８を、マット受け１の傾き角度θが所望の値となるように引掛けて、マット受け１の傾き角度θを調整する。
【００１５】
以上のように、本発明は、洗浄後のマットＭを排出する排出口Ｑ側に、排出されたマットＭを受けるマット受け１を備えたマット洗浄機に於て、マット受け１が、側面視が前方凹曲面状のマット受け本体部２と、マット受け本体部２の上端部３に連設されて前方へ折曲げた段差部４と、段差部４の前端５から上方に起立してマットＭを下方へ誘導する誘導部６を有するので、小さな設置スペース（前後寸法が小さい場所）に設置することができる。例えば、壁Ｗ等に密着して設置することができる。また、小さな設置スペースに設置しても、適切なマット排出機能を備えることができる。すなわち、次々と複数枚のマットＭを排出しても、先にマット受け本体部２に収納状とされたマットＭの上端に、後から排出されたマットＭの下端が干渉して途中で折れ曲がらず絡まず、円滑に摺動案内されて（滑り落ちて）、スムーズに排出して、マット受け本体部２に積み重なって受取られる。
【００１６】
また、段差部４の段差寸法Ｔを、マットＭの厚さ寸法ｔの２倍以上４倍以下に設定したので、４枚以下のマットＭを受けるのに最適である。そして、小さな設置スペースに設置することができる。
【００１７】
また、洗浄機本体７とマット受け１との間をチェーン８にて、マット受け１の傾き角度θを調整自在に、連結したので、設置スペースに余裕がある場合（広い場所に設置する場合）には、マット受け１の傾き角度θを大きくして使用することができる。
【００１８】
また、洗浄後のマットＭを排出する排出口Ｑ側の一対の回転体Ｒを、マット排出方向Ｙが後方下傾状となるように配設し、かつ、一対の回転体Ｒの両方の回転中心Ｓを通る直線Ｌ2 に対する垂線Ｌ3 が鉛直上向き方向と成す角度αが30°以上60°以下になるように設定したので、排出されたマットＭが確実にスムーズに下方へ移動する。
【図面の簡単な説明】
【００１９】
【図１】本発明の実施の一形態の設置状態を示す断面側面図である。
【図２】正面図である。
【図３】マット受けを示す側面図である。
【図４】断面側面説明図である。
【図５】使用状態を示す側面図である。
【符号の説明】
【００２０】
１  マット受け
２  マット受け本体部
３  上端部
４  段差部
５  前端
６  誘導部
７  洗浄機本体
８  チェーン
９  チェーン引掛部
Ｌ2   直線
Ｌ3   垂線
Ｍ  マット
Ｑ  排出口
Ｒ  回転体
Ｓ  回転中心
Ｔ  段差寸法
ｔ  厚さ寸法
Ｙ  マット排出方向
α  角度
θ  傾き角度
【図１】
0004524299.tif 000002
【図２】
0004524299.tif 000003
【図３】
0004524299.tif 000004
【図４】
0004524299.tif 000005
【図５】
0004524299.tif 000006